(57)【要約】【課題】  サブカウンタの施工が容易で、シンク周りに空気の通り道を作ることができ、また、シンク使用時などには水はねを防止する。【解決手段】  キッチンカウンタ（１）の後部に複数の脚（２）を用いてサブカウンタ（３）が取り付けられ、サブカウンタとキッチンカウンタの間に着脱自在なバックガードが設けられた。【選択図】図１
2005304883.tif 000002
【特許請求の範囲】
【請求項１】
キッチンカウンタの後部に複数の脚を用いてサブカウンタが取り付けられ、サブカウンタとキッチンカウンタの間に着脱自在なバックガードが設けられたことを特徴とする対面式厨房装置。
【請求項２】
バックガードは、一つの脚に収納可能とされ、脚間に張設可能とされたスクリーンである請求項１記載の対面式厨房装置。
【請求項３】
バックガードは、サブカウンタの下部に配設され、キッチンカウンタに向けて下方に引出可能とされたシャッタである請求項１記載の対面式厨房装置。
【請求項４】
バックガードはエアーカーテンである請求項１記載の対面式厨房装置。
【発明の詳細な説明】
【技術分野】
【０００１】
この出願の発明は、対面式厨房装置に関するものである。さらに詳しくは、この出願の発明は、サブカウンタの施工が容易で、シンク周りに空気の通り道を作ることができ、また、シンク使用時などには水はねを防止することのできる対面式厨房装置に関するものである。
【背景技術】
【０００２】
ダイニング側からも容易にアクセスすることのできる対面式厨房装置が広く知られている。この対面式厨房装置については、キッチンカウンタの後部に仕切り板を介してサブカウンタを取り付けたものが知られてもいる（たとえば、特許文献１参照）。
【特許文献１】特開２００２−３６８号公報
【発明の開示】
【発明が解決しようとする課題】
【０００３】
しかしながら、上記特許文献１に記載された対面式厨房装置では、サブカウンタの施工性に難があり、取り付けが容易ではなかった。また、サブカウンタとキッチンカウンタの間が仕切り板により仕切られるため、シンク後方の風通しが悪く、シンク周辺の乾きが悪いという問題がある。カビなどの発生の原因となる。
【０００４】
この出願の発明は、このような事情に鑑みてなされたものであり、サブカウンタの施工が容易で、シンク周りに空気の通り道を作ることができ、また、シンク使用時などには水はねを防止することのできる対面式厨房装置を提供することを解決すべき課題としている。
【課題を解決するための手段】
【０００５】
この出願の発明は、上記の課題を解決するものとして、第１には、キッチンカウンタの後部に複数の脚を用いてサブカウンタが取り付けられ、サブカウンタとキッチンカウンタの間に着脱自在なバックガードが設けられたことを特徴とする対面式厨房装置を提供する。
【０００６】
この出願の発明は、第２には、上記第１の対面式厨房装置において、バックガードは、一つの脚に収納可能とされ、脚間に張設可能とされたスクリーンである対面式厨房装置を提供する。
【０００７】
この出願の発明は、第３には、上記第１の対面式厨房装置において、バックガードは、サブカウンタの下部に配設され、キッチンカウンタに向けて下方に引出可能とされたシャッタである対面式厨房装置を提供する。
【０００８】
この出願の発明は、第４には、上記第１の対面式厨房装置において、バックガードはエアーカーテンである対面式厨房装置を提供する。
【発明の効果】
【０００９】
この出願の発明の第１、第２、第３および第４の対面式厨房装置によれば、サブカウンタの施工が容易で、シンク周りに空気の通り道を作ることができ、また、シンク使用時などには水はねを防止することができる。
【発明を実施するための最良の形態】
【００１０】
以下、図面に沿ってこの出願の発明の対面式厨房装置についてさらに詳しく説明する。
【００１１】
図１は、この出願の発明の対面式厨房装置の一実施形態を示した斜視図である。図２は、図１に示した実施形態の側面図である。
【００１２】
たとえばこの図１および図２に示したように、この出願の発明の対面式厨房装置では、キッチンカウンタ（１）の後部に複数の脚（２）を用いてサブカウンタ（３）が取り付けられている。このため、サブカウンタ（３）の取り付けに際しては、脚（２）をキッチンカウンタ（１）の後部および床面に立設するだけですむ。施工容易であり、サブカウンタ（３）の取り付けに手間はかからない。そればかりか、サブカウンタ（３）を対面式厨房装置に対して後付けすることも可能となる。
【００１３】
また、この出願の発明の対面式厨房装置では、サブカウンタ（３）とキッチンカウンタ（１）の間にはオープンスペースが形成され、開放感がある。さらに、このオープンスペースの形成により、シンク（４）の周りに空気の通り道を作ることができ、通気性がよく、シンク（４）の周辺の乾きは良好となる。カビなどの発生を防止することができる。
【００１４】
さらにまた、この出願の発明の対面式厨房装置では、シンク（４）の使用時などに水はねが生じ、ダイニング側が濡れることのないように、サブカウンタ（３）とキッチンカウンタ（１）の間に着脱自在なバックガードが設けられる。このバックガードは、特許文献１に記載されたような仕切り板とは相違し、固定式ではなく、着脱が自在とされている。つまり、バックガードは、水はねが生じそうなときにサブカウンタ（３）とキッチンカウンタ（１）の間に配設され、それ以外のときには取り除かれて、サブカウンタ（３）とキッチンカウンタ（１）の間に前述したようなオープンスペースを形成させる。
【００１５】
このようなバックガードについては、たとえば図３に示したように、一つの脚（２ａ）に収納可能とされ、脚（２ａ）（２ｂ）間に張設可能とされたスクリーン（５）とすることができる。たとえばロールスクリーンのように、脚（２ａ）に内蔵されたコイルバネの弾性力によりスクリーン（５）は巻き取られて脚（２ａ）に収納され、水はねが生じそうなときは、脚（２ａ）からスクリーン（５）を引き出し、その先端部に設けることのできる係止手段（６）を他方の脚（２ｂ）に設けることのできる係合部（７）に係止させ、脚（２ａ）（２ｂ）間にスクリーン（５）を張設することができる。
【００１６】
また、バックガードは、図４に示したように、サブカウンタ（３）の下部に配設され、キッチンカウンタ（１）に向けて下方に引出可能とされたシャッタ（８）とすることもできる。シャッタ（８）は、ローラシャッタのように、軸に内蔵されたコイルバネの弾性力により巻き取られ、水はねが生じそうなときは、軸からシャッタ（８）を引き出し、サブカウンタ（３）とキッチンカウンタ（１）の間のオープンスペースを仕切る。シャッタ（８）の固定には、金具、吸盤、磁石などの固定手段を用いても、これら固定手段を用いずに、クラッチ手段を軸に内蔵し、下方に引き出されたときに巻き取りがロックされ、この状態からシャッタ（８）を下方に引っ張ることによりロックが解除されるようにしたものを採用することができる。
【００１７】
さらに、バックガードは、図５に示したようなエアーカーテンとすることもできる。この場合、エアーは、図中に矢印で示したように、サブカウンタ（３）の下部からキッチンカウンタ（１）に向かって斜め下方に吹き出すようにすると、水はねの防止に効果的となる。
【００１８】
以上に例示されるこの出願の発明の対面式厨房装置は、多種多様な厨房装置に対し、サブカウンタ（３）の取り付けが可能となっている。
【００１９】
もちろん、この出願の発明は、以上の実施形態によって限定されるものではない。厨房装置の構成やバックガードの種類などの細部については様々な態様が可能であることはいうまでもない。
【図面の簡単な説明】
【００２０】
【図１】この出願の発明の対面式厨房装置の一実施形態を示した斜視図である。
【図２】図１に示した実施形態の側面図である。
【図３】この出願の発明の対面式厨房装置の別の実施形態を示した斜視図である。
【図４】この出願の発明の対面式厨房装置の別の実施形態を示した斜視図である。
【図５】この出願の発明の対面式厨房装置の別の実施形態を示した斜視図である。
【符号の説明】
【００２１】
１    キッチンカウンタ
２、２ａ、２ｂ    脚
３    サブカウンタ
４    シンク
５    スクリーン
６    係止手段
７    係合部
８    シャッタ
【図１】
2005304883.tif 000003
【図２】
2005304883.tif 000004
【図３】
2005304883.tif 000005
【図４】
2005304883.tif 000006
【図５】
2005304883.tif 000007